【事件の表示】
　特願２００１−３５３４４１号「袋物状寝具」拒絶査定不服審判事件〔平成１５年　５月２７日出願公開、特開２００３−１５３７８０号〕について、次のとおり審決する。
【結　論】
　本件審判の請求は、成り立たない。
【理　由】
１．手続の経緯・本願発明
　
　本願は、平成１３年１１月１９日の出願であって、平成１７年８月１１日付けで拒絶査定がなされ、これに対し同年９月１６日に拒絶査定に対する審判請求がなされるとともに、同年１０月１７日付けで手続補正がなされたものである。
　
２．平成１７年１０月１７日付け手続補正についての補正却下の決定
　
［補正却下の決定の結論］
　
　平成１７年１０月１７日付け手続補正（以下、「本件補正」という。）を却下する。
　
［理由］
　
（１）補正後の本願発明
　
　本件補正により、特許請求の範囲の請求項１は、以下のように補正された。
「長辺部、短辺部からなる布製の四角形状の表・裏面を具備し、当該四角形状のいずれかの一辺をファスナー体等をもって開閉自在な構成として袋状に形成した袋物状寝具であり、
　前記袋状に形成した袋物状寝具における内部の上下部分のほぼ中央位置に、布材又は樹脂材或いは皮革材からなる仕切り部を配置し、この袋物状寝具における内部の上下部分を開閉自在な２分割状態の各スペース部として構成し、
　前記袋物状寝具の内部における２分割状態の各スペース部の内のいずれか一方のスペース部には綿類を出し入れ自在とし、且つ、他方のスペース部には羽毛類又は掛け布団或いは毛布を出し入れ自在な構成とし、
　前記袋物状寝具の内部における２分割状態の一方のスペース部に綿類を収納し、他方のスペース部には羽毛類又は掛け布団或いは毛布を収納した状態で使用できるとともに、当該２分割状態の上下の各スペース部に何も収納しない状態でも使用でき、更に当該２分割状態の上下いずれか一方のスペース部にのみ綿類、羽毛類、掛け布団、毛布のいずれかを収納して使用することもでき、
　前記寝具内部における２分割状態の各スペース部の収納状態に応じて、冬期用或いは夏季用等を簡易に使い分けて季節に応じた掛け布団又は敷き布団として使用できるようにしたことを特徴とする袋物状寝具。」
　
（２）補正の目的の適否
　
　本件補正は、請求項１に記載された発明を特定するために必要な事項である「袋状」の態様について、補正前に「四角形状又は三角形状或いは菱形の表・裏面を具備し、当該いずれかの形状の各辺の内のいずれか一辺又は複数辺を開閉自在な構成として」としていたものを「長辺部、短辺部からなる布製の四角形状の表・裏面を具備し、当該四角形状のいずれかの一辺をファスナー体等をもって開閉自在な構成として」とすることにより限定を付加し、以下同様に、「仕切り部」について、「前記袋物状寝具の内部の上下の部分のほぼ中央位置の部分に」としていたものを「前記袋状に形成した袋物状寝具における内部の上下部分のほぼ中央位置に、布材又は樹脂材或いは皮革材からなる」とし、また、「各スペース部」について、「該袋物状寝具の内部の上下の部分を夫々開閉自在な２分割状態の」としていたものを「この袋物状寝具における内部の上下部分を開閉自在な２分割状態の」とし、また、「袋物状寝具」の構成について、「前記２分割状態の各スペース部の内のいずれか一方のスペース部には綿類を出し入れ自在とし、且つ、他方のスペース部には羽毛類或いは掛け布団又は毛布を出し入れ自在な」としていたものを「前記袋物状寝具の内部における２分割状態の各スペース部の内のいずれか一方のスペース部には綿類を出し入れ自在とし、且つ、他方のスペース部には羽毛類又は掛け布団或いは毛布を出し入れ自在な」とし、さらに、「袋物状寝具」の使用について、「上下の各スペース部に何も収納しない状態ではブランケットとして使用できるとともに、上下の各スペース部の収納状態に応じて、冬期用或いは夏季用等を簡易に使い分けて季節に応じた掛け布団又は敷き布団として」としていたものを「前記袋物状寝具の内部における２分割状態の一方のスペース部に綿類を収納し、他方のスペース部には羽毛類又は掛け布団或いは毛布を収納した状態で使用できるとともに、当該２分割状態の上下の各スペース部に何も収納しない状態でも使用でき、更に当該２分割状態の上下いずれか一方のスペース部にのみ綿類、羽毛類、掛け布団、毛布のいずれかを収納して使用することもでき、前記寝具内部における２分割状態の各スペース部の収納状態に応じて、冬期用或いは夏季用等を簡易に使い分けて季節に応じた掛け布団又は敷き布団として」とすることによりそれぞれ限定を付加するものであり、かつ、補正後の請求項１に記載された発明は、補正前の請求項１に記載された発明と、産業上の利用分野及び解決しようとする課題が同一であるので、本件補正は特許請求の範囲の減縮を目的とするものに該当する。
　
（３）独立特許要件
　
　そこで、本件補正後の前記請求項１に記載された事項により特定される発明（以下、「本願補正発明」という。）が特許出願の際独立して特許を受けることができるものであるか（平成１８年改正前特許法第１７条の２第５項において準用する同法第１２６条第５項の規定に適合するか）について、以下に検討する。
　
ア．引用例
　
　原査定の拒絶の理由に引用した刊行物である、実願昭５６−１３１７４５号（実開昭５８−３６８６３号）のマイクロフィルム（以下、「引用例」という。）には、図面とともに次の事項が記載されている。
　
（ア）「本考案は掛ふとんに係り、更に詳しくは全季節に亘り使用可能な掛ふとんに関するものである。」（明細書第１ページ第１８行〜２０行）
（イ）「本考案は、夏季には肌ふとんとして、其他の季節には保温性が優れ、ずれが起らず、寝心地が快適な羽毛ふとんとして、使用可能な掛ふとんを提供するにある。」（明細書第２ページ第１４行〜１７行）
（ウ）「この掛ふとんはカバー１０と中袋ふとん２０よりなる。カバー１０の表布１１と裏当布１２の間に合繊わた１３を挟み、キルティング縫着して（縫線を１４で示してある。）、わた１３が固定されている。裏当布１２の外側には裏布１５が重ねられ、表布１１と裏当布１２と裏布１５の周縁は一緒にバイアスパイピング方式で縫着され、袋体に形成されている。図面にバイアスパイピンを符号１６で示してある。カバー１０の側縁には中袋ふとん２０を挿脱する為の、スライドファスナ付の出入口１７が設けられてある。
　中袋ふとん２０はカバー１０に内接する大きさの布２１の袋よりなり、袋内に羽毛２２が収容され、羽毛２２は袋の布２１にキルティング縫着で固定されている（縫線を２３で示してある。）。」（明細書第３ページ第１７行〜第４ページ第１３行）
（エ）「本考案の掛ふとんにおけるカバーは、従来一般に用いられているふとんカバーと異なり表布側に合繊わたを入れてあるので、夏季には、中袋ふとんを取り除き、肌ふとんとして使用することができるので、別に肌ふとんを準備する必要がなくまことに便利である。
　又、このカバーに中袋ふとんを挿入すればその他の季節に羽毛ふとんとして使用することができる。」（明細書第５ページ第８行〜１６行）
　
　第１図には、カバー１０の具備する表布１１が、長辺部、短辺部からなる四角形状をなし、その四角形状のある一辺（側縁）に出入口１７が設けられている様子が図示されており、これと第３図を併せてみれば、カバー１０の具備する裏布１５も上記表布１１と同様の形状であることは明らかである。
　また、第３図には、カバー１０における内部の上下部分のほぼ中央位置に裏当布１２が配置され、該裏当布１２と裏布１５との間に布２１と羽毛２２からなるものが収納されている様子が図示されており、上記記載事項（ウ）及び第２図を参照すれば、上記布２１と羽毛２２からなるものが中袋ふとん２０であることは明らかである。
　
　上記記載事項（ア）〜（エ）及び図示内容を総合すると、引用例には次の発明（以下、「引用発明」という。）が記載されていると認められる。
「長辺部、短辺部からなる四角形状の表布１１と裏布１５を具備し、当該四角形状のある一辺に、羽毛２２が収容された中袋ふとん２０を挿脱する為のスライドファスナ付の出入口１７が設けられて袋体に形成されたカバー１０であり、
　前記袋体に形成されたカバー１０における内部の上下部分のほぼ中央位置に裏当布１２を配置し、
　表布１１と裏当布１２の間には、合繊わた１３が挟まれてキルティング縫着により固定され、裏当布１２と裏布１５との間には、羽毛２２が収容された中袋ふとん２０が収納されており、
　夏季には、中袋ふとんを取り除き、肌ふとんとして使用することができ、又、このカバーに中袋ふとんを挿入すればその他の季節に羽毛ふとんとして使用することができる袋体に形成されたカバー１０。」
　
イ．対比
　
　本願補正発明と引用発明とを対比すると、後者の「長辺部、短辺部からなる四角形状の表布１１と裏布１５」、「四角形状のある一辺」、「合繊わた１３」、「羽毛２２が収容された中袋ふとん２０」は、それぞれ、前者の「長辺部、短辺部からなる布製の四角形状の表・裏面」、「四角形状のいずれかの一辺」、「綿類」、「羽毛類」に相当し、後者の「袋体に形成されたカバー１０」は、前者の「袋状に形成した袋物状寝具」或いは「袋物状寝具」に相当する。
　また、後者において「スライドファスナ付の出入口１７が設けられて」いることは、それが開閉自在な構成を含んでいることは明らかであるから、前者において「ファスナー体等をもって開閉自在な構成とし」たことに相当する。
　また、後者においては、「裏当布１２」を「袋体に形成されたカバー１０における内部の上下部分のほぼ中央位置に」「配置」することにより、「袋体に形成されたカバー１０」の内部には、「裏当布１２」と「表布１１」との間、及び、「裏当布１２」と「裏布１５」との間に、それぞれ、上下に２分割状態に仕切られた各スペース部が作られているから、後者において「前記袋体に形成されたカバー１０における内部の上下部分のほぼ中央位置に裏当布１２を配置」することは、その構成からみて、前者において「前記袋状に形成した袋物状寝具における内部の上下部分のほぼ中央位置に、布材又は樹脂材或いは皮革材からなる仕切り部を配置し、この袋物状寝具における内部の上下部分を」「２分割状態の各スペース部として構成」することに相当する。
　さらに、後者において「袋体に形成されたカバー１０における内部の」「表布１１と裏当布１２の間には、合繊わた１３が挟まれてキルティング縫着により固定され」ていることは、前者において「前記袋物状寝具の内部における２分割状態の一方のスペース部に綿類を収納」することに相当するとともに、前者の「前記袋物状寝具の内部における２分割状態の各スペース部の内のいずれか一方のスペース部には綿類を出し入れ自在と」することとは、「前記袋物状寝具の内部における２分割状態の各スペース部の内のいずれか一方のスペース部には綿類を」収納している点で共通している。
　そして、後者において「スライドファスナ付の出入口１７」により「挿脱」される「羽毛２２が収容された中袋ふとん２０」が「裏当布１２と裏布１５との間に」「収納されて」いることは、その構成・機能に照らせば、前者において「前記袋物状寝具の内部における２分割状態の各スペース部の内の」「他方のスペース部には羽毛類又は掛け布団或いは毛布を出し入れ自在な構成と」すること、或いは「前記袋物状寝具の内部における２分割状態の」「他方のスペース部には羽毛類又は掛け布団或いは毛布を収納した状態で使用できる」ことと変わるところはない。
　また、後者において「夏季には、中袋ふとんを取り除き、肌ふとんとして使用することができ、又、このカバーに中袋ふとんを挿入すればその他の季節に羽毛ふとんとして使用することができる」ことと、前者において「寝具内部における２分割状態の各スペース部の収納状態に応じて、冬期用或いは夏季用等を簡易に使い分けて季節に応じた掛け布団又は敷き布団として使用できるようにしたこと」とは、「寝具内部におけるスペース部の収納状態に応じて、冬期用或いは夏季用等を簡易に使い分けて季節に応じた掛け布団又は敷き布団として使用できるようにした」という概念で共通している。
　
　したがって、両者は、本願補正発明の記載ぶりに則って表現すると次の点で一致する。
「長辺部、短辺部からなる布製の四角形状の表・裏面を具備し、当該四角形状のいずれかの一辺をファスナー体等をもって開閉自在な構成として袋状に形成した袋物状寝具であり、
　前記袋状に形成した袋物状寝具における内部の上下部分のほぼ中央位置に、布材又は樹脂材或いは皮革材からなる仕切り部を配置し、この袋物状寝具における内部の上下部分を２分割状態の各スペース部として構成し、
　前記袋物状寝具の内部における２分割状態の各スペース部の内のいずれか一方のスペース部には綿類を収納し、且つ、他方のスペース部には羽毛類又は掛け布団或いは毛布を出し入れ自在な構成とし、
　前記袋物状寝具の内部における２分割状態の一方のスペース部に綿類を収納し、他方のスペース部には羽毛類又は掛け布団或いは毛布を収納した状態で使用でき、
　前記寝具内部におけるスペース部の収納状態に応じて、冬期用或いは夏季用等を簡易に使い分けて季節に応じた掛け布団又は敷き布団として使用できるようにした袋物状寝具。」
　
　そして、両者は次の点で相違する。
（相違点１）
　袋物状寝具内部を上下に２分割状態とした各スペース部の構成に関し、本願補正発明では、それら上下に２分割状態された各スペース部のいずれもが開閉自在であるのに対し、引用発明では、「裏当布１２」と「裏布１５」との間、すなわち、上下に２分割状態された各スペース部のうちの下のスペース部のみが開閉自在である点。
（相違点２）
　袋物状寝具内部を上下に２分割状態とした各スペース部の季節に応じた使用の形態に関し、本願補正発明においては、その一方のスペースに収納される綿類が出し入れ自在であり、上記２分割状態の上下の各スペース部に何も収納しない状態でも使用でき、更に当該２分割状態の上下いずれか一方のスペース部にのみ綿類、羽毛類、掛け布団、毛布のいずれかを収納して使用することもできるのに対し、引用発明においては、その一方のスペースに収納される綿類は固定されていて、他方のスペースにおいてのみ羽毛類等を出し入れ自在としている点。
　
 ウ．当審の判断
　
（相違点１）について
　内部が複数のスペース部に分割された袋物状カバー具の技術分野において、それら各スペース部のいずれもを開閉自在とし、そこに収納される収納物を各々出し入れ自在として利便性を高めることは、例えば、特開平１１−２８５４３３号公報、実願平４−９６７０号（実開平５−７０３５７号）のＣＤ−ＲＯＭ、実願昭６０−１０６０４０号（実開昭６２−１５２６０号）のマイクロフィルムにも開示されるように周知の技術にすぎないから、引用発明に上記周知技術を適用して上記相違点１に係る本願補正発明の発明特定事項とすることは、当業者であれば容易に想到し得ることである。
（相違点２）について
　袋物状寝具内部における各スペース部のいずれもを開閉自在とし、その内容物を各々出し入れ自在とすることの容易性については、上記相違点１についての検討で示したとおりであり、季節に応じた使い分けを行うために、袋物状寝具のそれら各スペースにおいて、具体的にどのような種類の収納物を収納或いは収納しないようにするかは、当業者が適宜決定し得る事項にすぎない。
　
　そして、本願補正発明が奏する作用効果も、引用発明及び上記周知技術から当業者が予測し得る範囲のものであって、格別なものではない。
　
　したがって、本願補正発明は、引用発明及び上記周知技術に基いて、当業者が容易に発明をすることができたものであるから、特許法第２９条第２項の規定により特許出願の際独立して特許を受けることができない。
　
（４）むすび
　
　以上のとおり、本件補正は、平成１８年改正前特許法第１７条の２第５項において準用する同法第１２６条第５項の規定に適合しないので、特許法第１５９条第１項において読み替えて準用する同法第５３条第１項の規定により却下すべきものである。
　
３．本願発明
　
　本件補正は上記のとおり却下されたので、本願の請求項１に係る発明（以下、「本願発明」という。）は、平成１７年４月２２日付けの手続補正書により補正された明細書の、特許請求の範囲の請求項１に記載された事項により特定される、次のとおりのものである。
「四角形状又は三角形状或いは菱形の表・裏面を具備し、当該いずれかの形状の各辺の内のいずれか一辺又は複数辺を開閉自在な構成として袋状に形成した袋物状寝具であって、
　前記袋物状寝具の内部の上下の部分のほぼ中央位置の部分に仕切り部を配置し、該袋物状寝具の内部の上下の部分を夫々開閉自在な２分割状態の各スペース部として構成してなり、
　前記２分割状態の各スペース部の内のいずれか一方のスペース部には綿類を出し入れ自在とし、且つ、他方のスペース部には羽毛類或いは掛け布団又は毛布を出し入れ自在な構成とし、
　上下の各スペース部に何も収納しない状態ではブランケットとして使用できるとともに、上下の各スペース部の収納状態に応じて、冬期用或いは夏季用等を簡易に使い分けて季節に応じた掛け布団又は敷き布団として使用できるようにしたことを特徴とする袋物状寝具。」
　
４．引用例
　
　原査定の拒絶の理由に引用した引用例及びその記載事項は、上記「２．（３）ア」に記載したとおりである。
　
５．対比・判断
　
　本願発明は、本願補正発明の特定事項から、上記「２．（２）」に記載される各限定事項を省いたものである。
　そうすると、本願発明の発明特定事項をすべて含み、さらに、他の発明特定事項を付加したものに相当する本願補正発明が、上記「２．（３）ウ」に記載したとおり、引用発明及び上記周知技術に基いて、当業者が容易に発明をすることができたものであるから、本願発明も、同様に、引用発明及び上記周知技術に基いて、当業者が容易に発明をすることができたものである。
　
６．むすび
　
　以上のとおり、本願発明は、引用発明及び上記周知技術に基いて、当業者が容易に発明をすることができたものであるから、特許法第２９条第２項の規定により特許を受けることができない。
　よって、結論のとおり審決する。